(57)【要約】【課題】  薬剤を服用するために取り出す場合、必要以上の数の薬剤を取り出すことがなく、受け損なって薬剤が落下したり、紛失することがなく、高齢者や手の不自由な要介護者が使用しても、小さな錠剤を正しい数だけ容易に取り出すことができる薬剤収納容器を提案する。【解決手段】  有底筒状の容器本体１の開口に蓋２を設け、容器本体１内に薬剤を収納する薬剤収納容器であって、薬剤を把持する一対の挟持片１１が容器本体１の底部１ａに近接した位置へ延びたピンセット１０を蓋２に一体に取り付ける。【選択図】  図１
2013118980.tif 000002
【特許請求の範囲】
【請求項１】
有底筒状の容器本体１の開口に蓋２を設け、容器本体１内に薬剤を収納する薬剤収納容器であって、
薬剤を把持する一対の挟持片１１が容器本体１の底部１ａに近接した位置へ延びたピンセット１０を蓋２に一体に取り付けた薬剤収納容器。
【請求項２】
長筒状の容器本体１の中央に中底１ｂを形成し、両端開口に蓋２を設け、中底１ｂて区画された容器本体１内に２種類の薬剤を収納する薬剤収納容器であって、
薬剤を把持する一対の挟持片１１が中底１ｂに近接した位置へ延びたピンセット１０を蓋２に一体に取り付けた薬剤収納容器。
【発明の詳細な説明】
【技術分野】
【０００１】
この発明は、錠剤やカプセル等の薬剤を収容し、服用時に１錠ずつ取り出すための薬剤収納容器に関するものである。
【背景技術】
【０００２】
錠剤やカプセル等の薬剤を収納する密閉状の薬剤収納容器として様々なものがある。これらの薬剤収納容器に薬剤を収容し、この薬剤収納容器から服用するために薬剤を取り出す場合、容器を傾けて蓋や手のひらで薬剤を受けることが行われるが、必要以上の数の薬剤が取り出されたり、受け損なって薬剤が落下して汚れたり、落下に伴い紛失したりすることがあり、取り扱いが不便であった。特に、高齢者や手の不自由な要介護者にとって、小さな錠剤を正しい数だけ取り出すことは容易ではない。
【０００３】
一方、特許文献１には、薬効の異なる複数種の薬剤を区分けして収納し、例えば昼用の薬剤、夜用の薬剤を区分けし、蓋を回して各薬剤の取出口を開成させ、取り出し可能とした薬剤収納容器が提案されている。
【先行技術文献】
【特許文献】
【０００４】
【特許文献１】特開２００３−１０２９０号公報
【発明の概要】
【発明が解決しようとする課題】
【０００５】
特許文献に示された薬剤収納容器は、複数の薬剤を区分けして服用可能であるが、薬剤の取り出し、受け取り手段は特別なものではなく、薬剤の落下や紛失は免れない。
【０００６】
この発明は、こうした課題を解決することを目的とするもので、薬剤を服用するために取り出す場合、必要以上の数の薬剤を取り出すことがなく、受け損なって薬剤が落下したり、紛失することがない薬剤収納容器を提案することを目的とするものである。また、構造が簡単で安価に製作され、高齢者や手の不自由な要介護者が使用しても、小さな錠剤を正しい数だけ容易に取り出すことができる薬剤収納容器を提案することを目的とするものである。
【課題を解決するための手段】
【０００７】
上記の目的を達成するため、請求項１に記載の発明は、有底筒状の容器本体１の開口に蓋２を設け、容器本体１内に薬剤を収納する薬剤収納容器であって、薬剤を把持する一対の挟持片１１が容器本体１の底部１ａに近接した位置へ延びたピンセット１０を蓋２に一体に取り付けて構成するものである。
【０００８】
請求項２に記載の発明は、長筒状の容器本体１の中央に中底１ｂを形成し、両端開口に蓋２を設け、中底１ｂで区画された容器本体１内に２種類の薬剤を収納する薬剤収納容器であって、薬剤を把持する一対の挟持片１１が中底１ｂに近接した位置へ延びたピンセット１０を蓋２に一体に取り付けて構成するものである。
【発明の効果】
【０００９】
請求項１に記載の構成によれば、ピンセット１０を蓋２に一体に取り付けたので、このピンセット１０で容器本体１内の薬剤を把持し、１錠ずつ取り出して薬剤を服用することができる。したがって、必要以上の数の薬剤を取り出すことがなく、受け損なって薬剤が落下したり、紛失することがない。高齢者や手の不自由な要介護者が使用しても、小さな錠剤を正しい数だけ容易に取り出すことができ、ハンディキャッパーの使用に供して特に有益である。
【００１０】
また、構造が簡単で安価に製作され、ピンセット１０は蓋２と一体であるから紛失することもなく、薬剤の服用のために容器本体１から蓋２を取り外して直ちにピンセット１０を使用することができ、使い勝手に極めて優れるものである。
【００１１】
請求項２に記載の構成によれば、請求項１に記載の薬剤収納容器の効果に加え、中底１ｂて区画された容器本体１内に２種類の薬剤を収納することができ、サプリメント剤や胃薬等を毎日服用するケース等に特に適用するものである。
【００１２】
なお、この発明の薬剤収納容器は、主に錠剤やカプセル等の薬剤の個人の服用を目的とするが、病院を始めとする医療、医薬の施設や機関での使用にも適用し、薬剤は医薬に限られず、直接手で触れることが好ましくない化学薬品等にも適用可能である。
【図面の簡単な説明】
【００１３】
【図１】請求項１に記載の発明の実施例で、正面図。
【図２】側面図。
【図３】収納容器から取り外した状態の蓋の断面図。
【図４】ピンセットを取り付けていない状態の蓋の平面図。
【図５】請求項２に記載の発明の実施例で、正面図。
【発明を実施するための形態】
【００１４】
以下にこの発明の実施形態について、図面を用いて具体的に説明する。
【実施例１】
【００１５】
図１から４は、請求項１に記載の発明の実施例である。この薬剤収納容器は、有底筒状の容器本体１の開口に蓋２を設けて密閉容器状に形成され、容器本体１内に薬剤を収納するものである。容器本体１は、薬剤の量が目視可能なように透明樹脂材で形成され、蓋２は不透明樹脂材で形成され、容器本体１の上縁に螺合し、回転操作で容器本体１の開口に着脱自在に設けられている。
【００１６】
この薬剤収納容器において、蓋２にピンセット１０が一体に取り付けられている。ピンセット１０は、一対の細長板状の挟持片１１の基端部１ａが連結され、開いた状態の挟持片１１を閉じて先端で対象物を把持する一般的な形態であり、挟持片１１は容器本体１の底部１ａに近接した位置へ延びた状態である。図４に示すように、蓋２の中央に狭間隔で一対の開孔２ａが形成され、この開孔２ａに挟持片１１を二股状に貫通させ、基端部１ａを蓋２に接合し、ピンセット１０が蓋２に一体に取り付けられている。ピンセット１０の材質は、ステンレス、アルミ等の金属の他、セラミック製、樹脂製等任意である。この薬剤収納容器に収納した薬剤は、容器本体１から蓋２を取り外し、挟持片１１の先端で薬剤を把持し、１錠ずつ取り出して服用する。
【実施例２】
【００１７】
図５は、請求項２に記載の発明の実施例である。この薬剤収納容器は、長筒状の容器本体１の中央に中底１ｂを形成し、両端開口に蓋２を設け、中底１ｂて区画された容器本体１内に２種類の薬剤を収納する薬剤収納容器である。容器本体１は、前例と同様に透明樹脂材で形成され、蓋２は不透明樹脂材で形成され、蓋２の回転操作で容器本体１の開口に着脱自在に設けられている。
【００１８】
この薬剤収納容器の蓋２に前例と同様にピンセット１０が一体に取り付けられている。ピンセット１０は、一対の挟持片１１が中底１ｂに近接した位置へ延びた状態で各蓋２に取り付けられ、各薬剤は、容器本体１からそれぞれの蓋２を取り外し、挟持片１１の先端で薬剤を把持し、１錠ずつ取り出して服用する。
【符号の説明】
【００１９】
１  容器本体
１ａ  底部
１ｂ  中底
２  蓋
１０  ピンセット
１１  挟持片
【図１】
2013118980.tif 000003
【図２】
2013118980.tif 000004
【図３】
2013118980.tif 000005
【図４】
2013118980.tif 000006
【図５】
2013118980.tif 000007